(57)【要約】【課題】  ポケットタイプ機器の収納ケースであって、イヤホンコードを簡単におしゃれに収納でき、絡ませることがない安価な収納ケースの提供。【解決手段】  ケース本体６の正面又は背面に化粧皮革（化粧面部材）１４を支持部材１５で間隔をとって取り付け、支持部材１５にイヤホンコードを巻き付けて、ケース本体６と化粧皮革１４の間に収納する。【選択図】          図５
0003113465.tif 000002
【実用新案登録請求の範囲】
【請求項１】
コード付きイヤホンを利用するポケットタイプ機器の携帯用収納ケースであって、機器の挿入口を有すると共に収納ケースの正面又は背面にイヤホンコードの巻き付け収納部を形成してあることを特徴とした収納ケース。
【請求項２】
収納ケースは皮革ないし皮革に類似の素材で袋状に形成され、一端が開閉可能な挿入口とされると共に機器にイヤホンを取り付けたまま収納してイヤホンコードを巻き付け収納部に収めることができることを特徴とした請求項１に記載の収納ケース。
【請求項３】
巻き付け収納部は、収納ケース本体の正面又は背面とその位置から巻き取り間隔をとって平行に配置された化粧面部材を間隔維持用の支持部材で収納ケース本体の正面又は背面に取り付けてあり、イヤホンコードを支持部材に巻き付け化粧面部材と収納ケース本体との間に収納することを特徴とした請求項１又は２に記載の収納ケース。
【請求項４】
巻き付け収納部は、ベルトを通すベルトループを兼ねていることを特徴とした請求項３に記載の収納ケース。
【考案の詳細な説明】
【技術分野】
【０００１】
本考案は、ゲーム器やポータブルオーディオプレイヤーなど、いわゆるポケットに入れて携帯できる程度に小形でイヤホンを利用する機器（ポケットタイプ機器と総称する）を収納するケースに関する。
【背景技術】
【０００２】
電子技術の発展によりポケットタイプ機器が広く普及し、利用者によって日常携帯されている。携帯の態様はさまざまであり、直接手に持ったり（特許文献１）、衣服のポケットに入れたりあるいは鞄に入れている。そして、利用していない状態、すなわち、イヤホンを用いていないときは、イヤホンをコードと共に丸めて収めるか、別途に用意した巻き取りケース（特許文献２）に収めている。機器本体に巻き取りリールを収めたものもある（特許文献３）。また、イヤホンは利用しないが携帯電話などではズボンのベルトに通すためのベルトループを備えた収納ケースに収めて携帯することもある（特許文献４）。
【０００３】
【特許文献１】特開平８−２２３６８０号公報
【特許文献２】特開平７−３１２７９１号公報
【特許文献３】特開２００１−１９７１８０号公報
【特許文献４】特開２００１−６０９９７号公報
【考案の開示】
【考案が解決しようとする課題】
【０００４】
しかし、丸めたイヤホンコードは絡みやすく、次回に使用するときにもどかしい思いがする。また、機器本体へ直接イヤホンコードを巻き付けるのはコードの整理はつくものの外見が悪くおしゃれではない。機器本体に巻き取りリールを組み込んだ構造は高価になりやすく、機器の内部でコードが絡んだ場合には始末が悪い、さらに、巻き取りケースの利用は、イヤホンコードの絡みの問題を解決するが、巻き取りケースを別途に持たねばならずわずらわしい。
この考案は、ポケットタイプ機器の収納ケースであって、イヤホンコードを簡単におしゃれに収納でき、絡むことがない安価な収納ケースの提供を課題とする。
【課題を解決するための手段】
【０００５】
ポケットタイプ機器を収納できるケースの正面又は背面にイヤホンコードを巻き付けて収納できる収納部を設ける。
【考案の効果】
【０００６】
本考案によれば、ポケットタイプ機器は携帯時に収納ケースに収められて体裁がよく、また、イヤホンを使用しないときは長いイヤホンコードを収納ケース正面又は背面の収納部に巻き付けて収納できるので、絡むことがなく、また、体裁よく整理することができる。
【考案を実施するための最良の形態】
【０００７】
図１は、収納ケース１であってポケットタイプ機器２（図２  以下、単に、機器）を収納する。この実施例では皮革製である。ポケットタイプ機器２は、この実施例では、記録容量の大きな電子メモリーを備えたオーディオ機器であって、再生音をイヤホンヘッド３で聴く。イヤホンヘッド３は先端にプラグ４を備えた長いコード５を有する。プラグ４は、機器２のジャックに差込んで機器２と接続することができる。
【０００８】
収納ケース１は、ケース本体６と巻き付け収納部７とからなる。ケース本体６は、収納する機器２の大きさに合わせて縦横及び厚みの寸法が定められており、対称形に打ち抜いた正面側皮革８と背面側皮革９を重ね、ついで、左右と底辺の三方を縫い合わせ、上辺が開口したポケット状のケースである（図３）。上辺の開口は挿込口１０であり、止めバンド１１で閉じる。止めバンド１１は、背面側皮革９の上部に一端を取り付け他端に止め具１２ａを有し、止め具１２ａは正面側皮革８の受け具１２ｂに着脱自在に係合する。
正面側皮革８と背面側皮革９の縫い合わせは左右の辺では、上端まで余裕を残した位置までとし、挿込口１０において、正面側皮革８と背面側皮革９の上部を正面側及び背面側へ大きく開くことができるようになっている。これにより、収納ケース１の側面には縫い合わせのない大きな切込み相当個所１３（図３）ができる。
【０００９】
巻き付け収納部７は、ケース本体６の正面側皮革８と化粧皮革１４（化粧面部材）及び支持部材１５で構成されている（図３、図４）。すなわち、化粧皮革１４は、四隅に配置した支持部材１５によってケース本体６の正面又は背面から巻き取り間隔をとって平行に配置され、この間隔を収納空間としてイヤホンコード５を支持部材１５に巻き付けて収納する。支持部材１５は両端を取り付け部とし中間をスペーサー部とした一種のはと目部材である。図４において、符号１６はゴムバンドであり、ケース本体６の両側部に取り付けてある。
【００１０】
機器２を上方から挿込口１０に差し込んで収納ケース１に収める。このときイヤホンヘッド３は機器に取り付けられた状態のままでかまわない。イヤホンコード５のプラグ４は機器の側方に張り出していても、ポケットタイプ機器２が収納ケース１に収まったとき、側面の切込み相当個所１３に位置するので、機器の収納に支障は生じない。そして、収納ケース１の外側に出ているイヤホンコード５は機器２に近い側から収納部７の支持部材１５に順次巻き付けていき、収納する。最後に、イヤホンヘッド３をケース本体６の側部に取り付けてあるゴムバンド１６で固定する（図５）。
イヤホンコード５のプラグ４を機器から抜いた状態で巻き付けるときは、イヤホンヘッド３かプラグ４をまずゴムバンド１６に固定してから巻き付けをはじめ、最後にイヤホンヘッド３かプラグ４の残った側を他側のゴムバンド１６に固定する。
【００１１】
以上の構造であって、機器２のイヤホンヘッド３は機器２に取り付けたままで収納ケース１に収め、ついで、イヤホンコード５を収納部７に巻き付ければ、イヤホンコード５が化粧皮革１４に隠れて目立たず、おしゃれである。また、使用するときは、巻いてあるのを解くだけであり、絡むことがない。さらに、化粧皮革１４とケース本体６との間には間隔があるので、ここをズボンのベルトに通すためのベルトループとしても利用することもできる。
【００１２】
以上、実施例について説明した。ケース本体６や化粧面部材の素材は皮革に限らず、同等の柔軟性と保形性を備えるものであれば、好ましい。巻き付け収納部７を設ける側は、ケース本体６の背面側であってもよい。
【図面の簡単な説明】
【００１３】
【図１】収納ケースの正面図。
【図２】ポケットタイプ機器の斜視図。
【図３】収納状態を示す斜視図。
【図４】収納ケースの側面図。
【図５】イヤホンコードを収納した状態で示す斜視図。
【符号の説明】
【００１４】
１  収納ケース
２  ポケットタイプ機器（機器）
３  イヤホンヘッド
４  プラグ
５  コード
６  ケース本体
７  巻き付け収納部
８  正面側皮革
９  背面側皮革
１０  挿込口
１１  止めバンド
１２ａ  止め具
１２ｂ  受け具  
１３  切込み相当個所
１４  化粧皮革（化粧面部材）
１５  支持部材
１６  ゴムバンド
【図１】
0003113465.tif 000003
【図２】
0003113465.tif 000004
【図３】
0003113465.tif 000005
【図４】
0003113465.tif 000006
【図５】
0003113465.tif 000007